(57)【要約】【課題】隣り合う外壁材の間からの雨水の浸入を抑制でき、且つ外観を向上できる外壁構造及びジョイナーを提供する。【解決手段】ジョイナー１は、壁下地６に固定されたベース材２と、ベース材２に屋外側から取り付けられて、前記目地６１及び隣り合う外壁材７０，７１の目地６１側の端を屋外側からカバーするカバー材５とを備えている。ベース材２は、目地６１において目地６１の幅方向に離間して配置されて各々外壁材７０，７１の目地６１側の端面と対向すると共に、両者間にカバー材５が差し込まれて固定される一対の被差込板部２１，２２と、被差込板部２１，２２と外壁材７０，７１の端面との間に配設された止水部材４０，４１と、を有する。【選択図】図１
2018090974.tif 000002
【特許請求の範囲】
【請求項１】
隣り合う外壁材の間の目地にジョイナーが設けられた外壁構造であって、
前記ジョイナーは、
壁下地に固定されたベース材と、
前記ベース材に屋外側から取り付けられて、前記目地及び前記隣り合う外壁材の前記目地側の端を屋外側からカバーするカバー材とを備え、
前記ベース材は、
前記目地において該目地の幅方向に離間して配置されて各々前記外壁材の前記目地側の端面と対向すると共に、両者間に前記カバー材が差し込まれて固定される一対の被差込板部と、該被差込板部と前記外壁材の前記端面との間に配設された止水部材と、を有することを特徴とする外壁構造。
【請求項２】
前記止水部材は、圧縮性部材で構成されることを特徴とする請求項１に記載の外壁構造。
【請求項３】
前記カバー材は、前記ベース材に差し込まれる差込片と、該差込片の屋外側端部から前記幅方向に延びるカバー片と、を有し、
該差込片は、前記被差込板部の幅方向内側の面に圧接する止水片を有する一方、
前記カバー片の幅方向両端部は、前記外壁材の屋外側面に略線接触していることを特徴とする請求項１又は２に記載の外壁構造。
【請求項４】
前記一対の被差込板部の間隔が、屋外側に行く程徐々に狭くなっていることを特徴とする請求項１乃至３のいずれか１項に記載の外壁構造。
【請求項５】
隣り合う外壁材の間の目地に設けられるジョイナーであって、
壁下地に固定されるベース材と、
前記ベース材に屋外側から取り付けられて、前記目地及び前記隣り合う外壁材の前記目地側の端を屋外側からカバーするカバー材とを備え、
前記ベース材は、
前記目地において該目地の幅方向に離間して配置されて各々前記外壁材の前記目地側の端面と対向すると共に、両者間に前記カバー材が差し込まれて固定される一対の被差込板部と、該被差込板部と前記外壁材の前記端面との間に配設される止水部材とを有することを特徴とするジョイナー。
【発明の詳細な説明】
【技術分野】
【０００１】
本発明は、外壁構造、及びジョイナーに関する。
【背景技術】
【０００２】
特許文献１にはサイディング用役物が開示されている。このサイディング用役物は、嵌合凹部を有するベース部材と、表面化粧部の裏側略中央部に嵌合凸部が突設されたカバー部材とを備えている。ベース部材は建物躯体に固定され、カバー部材は嵌合凸部を嵌合凹部に嵌合することでベース部材に取付けられる。このようにベース部材に取り付けられたカバー部材の表面化粧部の両側背方には、サイディング本体の端部が納められる。
【先行技術文献】
【特許文献】
【０００３】
【特許文献１】特開２００７−２２４５１５号公報
【発明の概要】
【発明が解決しようとする課題】
【０００４】
ところで、前記カバー部材の表面化粧部の両側背方には防水パッキン材が装着されている。これら防水パッキン材はサイディング本体の側端部表面に圧接されており、これにより、サイディング本体の表面とカバー部材の表面化粧部との間から、隣り合うサイディング本体の間を通じて屋内側に雨水が浸入することが抑制されている。
【０００５】
ところが、前記従来の外壁構造において隣り合うサイディング本体の間から雨水が浸入することを適切に防止するには、前記防水パッキン材の幅を大きくして防水パッキン材とサイディング本体の表面との接触面積を確保する必要があり、この場合、防水パッキン材を覆うカバー部材の幅が大きくなって外観が良くない。
【０００６】
本発明は前記事情に鑑みてなされたものであって、隣り合う外壁材の間からの雨水の浸入を抑制でき、且つ外観を向上できる外壁構造及びジョイナーを提供することを目的とする。
【課題を解決するための手段】
【０００７】
前記目的を達成するために本発明に係る一態様の外壁構造は、隣り合う外壁材の間の目地にジョイナーが設けられた外壁構造であって、前記ジョイナーは、壁下地に固定されたベース材と、前記ベース材に屋外側から取り付けられて、前記目地及び前記隣り合う外壁材の前記目地側の端を屋外側からカバーするカバー材とを備え、前記ベース材は、前記目地において該目地の幅方向に離間して配置されて各々前記外壁材の前記目地側の端面と対向すると共に、両者間に前記カバー材が差し込まれて固定される一対の被差込板部と、該被差込板部と前記外壁材の前記端面との間に配設された止水部材と、を有することを特徴とする。
【０００８】
また、本発明に係る一態様のジョイナーは、隣り合う外壁材の間の目地に設けられるジョイナーであって、壁下地に固定されるベース材と、前記ベース材に屋外側から取り付けられて、前記目地及び前記隣り合う外壁材の前記目地側の端を屋外側からカバーするカバー材とを備え、前記ベース材は、前記目地において該目地の幅方向に離間して配置されて各々前記外壁材の前記目地側の端面と対向すると共に、両者間に前記カバー材が差し込まれて固定される一対の被差込板部と、該被差込板部と前記外壁材の前記端面との間に配設される止水部材とを有することを特徴とする。
【発明の効果】
【０００９】
本発明に係る一態様の外壁構造及びジョイナーは、隣り合う外壁材の間からの雨水の浸入を抑制でき、且つ外壁構造の外観を向上できる。
【図面の簡単な説明】
【００１０】
【図１】図１は、本発明に係る一実施形態の外壁構造の水平断面図である。
【図２】図２は、図１のＡ部拡大図である。
【図３】図３は、同上の外壁構造における外壁材をジョイナーの両側に配置する様子を示した水平断面図である。
【図４】図４は、同上の外壁構造におけるカバー材をジョイナーに取り付ける様子を示した水平断面図である。
【発明を実施するための形態】
【００１１】
以下に示す実施形態は、外壁構造、及びジョイナーに関し、詳しくは、隣り合う外壁材の間にジョイナーが設けられた外壁構造、及びこの外壁構造に用いられるジョイナーに関する。
【００１２】
（外壁構造）
図１に示す本実施形態の外壁構造は、壁下地６と、壁下地６に固定されたジョイナー１と、ジョイナー１を介して隣り合う外壁材７０，７１とを具備している。
【００１３】
本実施形態の壁下地６は、柱等の建物躯体９０の屋外側面に防水シート９１を介して固定された複数の縦胴縁６０で構成されている。以下、壁下地６を構成する複数の縦胴縁６０のうち、隣り合う外壁材７０，７１間の屋内側に位置する縦胴縁６０を縦胴縁６０ａという。
【００１４】
ジョイナー１は、隣り合う外壁材７０，７１の間の目地６１に設けられる。ジョイナー１は、縦胴縁６０ａの屋外側面に屋外側から取り付けられたベース材２と、ベース材２に屋外側から取り付けられて、隣り合う外壁材７０，７１の目地６１側の端をカバーするカバー材５とを備えている。
【００１５】
ベース材２は、上下方向に延びた長尺な部材である。本実施形態のベース材２は、金属製であって、一枚の金属板を折り曲げて形成されている。
【００１６】
図２に示すように、ベース材２は、縦胴縁６０ａの屋外側面に固定された固定部２０と、固定部２０から屋外側に突出した一対の被差込板部２１，２２とを有している。
【００１７】
固定部２０は、縦胴縁６０ａの屋外側面に沿って上下方向に延びた帯状に形成されている。固定部２０の幅方向は、上下方向及び屋内外方向の両者に対して直交している。すなわち、屋内外方向を前後方向としたとき、固定部２０の幅方向は、左右方向と平行である。
【００１８】
固定部２０の幅方向の中間部には、屋外側に向かって突出した一対の被差込板部２１，２２が形成されている。一対の被差込板部２１，２２は、固定部２０と一体に形成されている。
【００１９】
一対の被差込板部２１，２２は、固定部２０の幅方向（目地６１の幅方向）に隙間２３を介して離間しており、互いに対向している。一対の被差込板部２１，２２の各々は、対応する外壁材７０，７１の目地６１側の端面７２，７３と対向する。
【００２０】
固定部２０において一対の被差込板部２１，２２の間に対応する部分は、釘からなる固着具９２が挿通される挿通部２４である。挿通部２４において上下方向の複数箇所の各々には、固着具９２が固定部２０の厚み方向に挿通されている。各固着具９２は、縦胴縁６０ａにねじ込まれており、これにより固定部２０は縦胴縁６０ａの屋外側面に固定されている。
【００２１】
固定部２０の幅方向の両側部分２５，２６は、一対の被差込板部２１，２２よりも固定部２０の幅方向外側に向かって突出している。固定部２０の幅方向の両端には、固定部２０の表面（屋外側面）に沿って折り返された折返部２７，２８が形成されている。
【００２２】
一対の被差込板部２１，２２の各々は、金属板の一部を折り重ねて形成された二重の板状部分によって構成されている。
【００２３】
各被差込板部２１，２２の幅方向内側の端面は、他方の被差込板部に対向する対向面２９，３０となっている。各被差込板部２１，２２の対向面２９，３０は、固定部２０の幅方向（左右方向）に対して傾斜しており、一対の被差込板部２１，２２の対向面２９，３０同士の間隔Ｌは屋外側に近づく程徐々に狭くなっている。このように傾斜させる手段としては、金属板を折り重ねて形成する際に、折り目部分を潰してしまわず、折り曲げ部分の金属板間に隙間が形成されるようにする。こうすることで、被差込板部２１，２２の外側面同士が平行となるように被差込板部２１，２２の固定部２０側の二重の金属板同士を接触させると、前記隙間分だけ、被差込板部２１，２２の内側面（対向面２９，３０）の屋外側付近が内側に位置するようになる。したがって、平行な外側面３１，３２により、止水部材４０，４１が対向する外壁材７０，７１の端面７２，７３に略均等に押し当てられるとともに、屋外側に向かって間隔が狭くなる内側面（対向面２９，３０）同士によりカバー材５が抜け難くなるものである。
【００２４】
各被差込板部２１，２２において対向面２９，３０と反対側の外側面３１，３２は、固定部２０の幅方向と直交している。各被差込板部２１，２２の外側面３１，３２には、止水部材４０，４１が取り付けられている。
【００２５】
本実施形態の各止水部材４０，４１は、圧縮性を有する圧縮性部材からなり、例えば、ＥＰＤＭ、クロロプレンまたはポリエチレン系発泡止水部材からなる。各止水部材４０，４１は、対応する被差込板部２１，２２の外側面３１，３２に沿った帯状に形成されており、対応する被差込板部２１，２２の外側面３１，３２の略全体に亘って貼り付けられている。
【００２６】
一対の止水部材４０，４１の両外側には、外壁材７０，７１が設けられている。各止水部材４０，４１は、対応する被差込板部２１，２２と対応する外壁材７１，７２との間に配設されている。各外壁材７０，７１は、例えば金属板の屋内側に、裏打材としてポリウレタンフォーム等の発泡樹脂が設けられた金属サイディングである。
【００２７】
本実施形態の各外壁材７０，７１は、横張り用の外壁材７０，７１であり、横に長い略矩形の板状に形成されている。図示は省略するが、各外壁材７０，７１は釘等の固着具を用いて壁下地６に固定されている。
【００２８】
隣り合う両外壁材７０，７１の止水部材４０，４１側（被差込板部２１，２２側）の端部は、それぞれ固定部２０の両側部分２５，２６の表面に沿って配置されている。
【００２９】
各外壁材７０，７１の止水部材４０，４１側の端面７２，７３は、当該外壁材７０，７１の長手方向（左右方向）に直交した平坦な面である。各外壁材７０，７１の端面７２，７３は、対応する止水部材４０，４１の被差込板部２１，２２とは反対側の面に圧接されている。
【００３０】
各止水部材４０，４１は、対応する外壁材７０，７１の端面７２，７３と対応する被差込板部２１，２２との間で、厚み方向に圧縮されている。これにより、各外壁材７０，７１と対応する被差込板部２１，２２との間が、止水部材４０，４１によってシール（水密）されている。
【００３１】
ベース材２の一対の被差込板部２１，２２の間には、カバー材５が差し込まれて固定されている。カバー材５は上下方向に延びた長尺な部材である。本実施形態のカバー材５は、ゴム製である。
【００３２】
カバー材５は、ベース材２に差し込まれる差込片５１と、差込片５１の屋外側端部から幅方向に延びるカバー片５０とを有している。
【００３３】
カバー片５０は、上下方向に延びた帯状に形成されている。カバー片５０の幅方向は、上下方向及び屋内外方向の両者に対して直交している。
【００３４】
カバー片５０の幅方向の中間部には、一対の被差込片部２１，２２間に突出した差込片５１が形成されている。差込片５１は、カバー片５０から屋内側に向かって突出した芯部５２と、芯部５２から突出した複数の止水片５３とを有している。
【００３５】
芯部５２は厚み方向がカバー片５０の幅方向と平行で上下方向に延びた帯状に形成されている。芯部５２の厚み方向の両側の面における屋内外方向の複数箇所の各々には、上下方向に延びた帯状の止水片５３が突設されている。本実施形態の差込片５１には、左右対称形状の対をなす止水片５３が、屋内外方向に間隔を介して複数対形成されている。
【００３６】
各止水片５３は、芯部５２から屋外側に向かって突出しており、先端に近い部分程厚みが小さくなっている。また、本実施形態の各止水片５３は、芯部５２よりも柔らかい材料から形成されている。このため、各止水片５３は弾性変形しやすい。
【００３７】
差込片５１が一対の被差込板部２１の間に差し込まれる前の状態では、図４に示すように、各止水片５３の先端部を除く部分は、屋外側に近い部分程芯部５２から離れるように屋内外方向に対して傾斜している。また、各止水片５３の先端部は、芯部５２と略平行になるように屈曲している。
【００３８】
図２に示すように、差込片５１は一対の被差込板部２１，２２の間に圧入されており、各止水片５３は弾性変形してその先端部が対応する被差込板部２１，２２の対向面２９，３０に圧接されている。これにより、差込片５１は一対の被差込板部２１，２２に挟まれて保持されており、カバー材５はベース材２に対して固定されている。
【００３９】
被差込板部２１，２２に圧接された各止水片５３は、芯部５２から屋外側に向かって突出している。このため、カバー材５に対して屋外側に向かう力が加わったとき、各止水片５３には屋内外方向に収縮する方向の力が加わる。したがって、差込片５１は一対の被差込板部２１，２２の間から屋外側に抜け難い。
【００４０】
また、ベース材２の一対の被差込板部２１，２２の対向面２９，３０同士の間隔Ｌは、屋外側に近い程狭くなっている。このため、カバー材５に対して屋外側に向かう力が加わったとき、この力は対向面２９，３０で受けられる。したがって、差込片５１は一対の被差込板部２１，２２の間から一層抜け難くなっている。
【００４１】
差込片５１の屋外側端部に形成されたカバー片５０は、両外壁材７０，７１の表面（屋外側面）よりも屋外側に位置している。カバー片５０の幅方向の両側端部は、屋内側に向かって屈曲し、隣り合う両外壁材７０，７１の表面における目地６１側の端部に圧接されている。これにより、カバー片５０の幅方向両端部は、外壁材７０，７１の屋外側面に対して略線接触（上下方向に延びた線状に接触）している。
【００４２】
また、本実施形態のカバー片５０は、両外壁材７０，７１に跨って設けられており、これにより、各外壁材７０，７１の被差込板部２１，２２側の端部、各止水部材４０，４１、各被差込板部２１，２２及び隙間２３は、カバー片５０によって屋外側から覆われている。
【００４３】
本実施形態の外壁構造では、カバー片５０の幅方向両端部が、外壁材７０，７１の屋外側面に略線接触しており、これにより、カバー片５０と外壁材７０，７１の表面との間から、両外壁材７０，７１の間に雨水が浸入することが抑制されている。ただし、カバー片５０と両外壁材７０，７１との接触面積は小さいため、各外壁材７０，７１の表面とカバー片５０との間からカバー片５０の屋内側に雨水が浸入する可能性はある。しかし、本実施形態では、各外壁材７０，７１と対応する被差込板部２１，２２との間が、止水部材４０，４１によってシールされているため、カバー片５０の屋内側に雨水が入り込んだとしても、この雨水は外壁材７０，７１と被差込板部２１，２２との間から屋内側に浸入し難い。
【００４４】
また、一対の被差込板部２１，２２の間に形成された縦長の隙間２３は、カバー片５０の屋内側に浸入した雨水を、流下させて屋外側に排出する流路として機能する。また、カバー材５の各止水片５３の先端部が、対応する被差込板部２１，２２に圧接することで、一対の被差込板部２２の間は、差込片５１によってシールされる。このため、一対の被差込板部２１，２２間の隙間２３に雨水が入り込んだとしても、この雨水が固定部２０において固着具９２が挿通された部分から屋内側に浸入することが抑制される。
【００４５】
（施工方法）
本実施形態の外壁構造は、例えば以下のように施工される。作業者は、まず、図３に示すように、縦胴縁６０ａにジョイナー１のベース材２を固定する。このベース材２の固定は、固定部２０の固着具挿通部（幅方向の中間部）２４に屋外側から複数の固着具９２を挿通し、各固着具９２を縦胴縁６０ａにねじ込むことで行われる。
【００４６】
ここで、本実施形態のベース材２は、固定部２０と一対の被差込板部２１，２２とが一体に形成されている。このため、作業者は、固定部２０を固着具９２を用いて縦胴縁６０ａに取り付けるだけで、一対の被差込板部２１，２２とこれらに貼り付けられた一対の止水部材４０，４１とを両外壁材７０，７１に対して適切な位置に配置できる。
【００４７】
次に作業者は、図４に示すように、外壁材７０，７１の端面７２，７３と対応する被差込板部２１，２２との間で止水部材４０，４１を圧縮しながら、両外壁材７０，７１の端部を、固定部２０の両側部分２５，２６の屋外側にそれぞれ配置し、各外壁材７０，７１を釘等の固着具を用いて壁下地６に固定する。そして、作業者は、カバー材５の差込片５１を、一対の被差込板部２１，２２間の隙間２３に屋外側から挿入して固定し、これによりカバー材５を図１に示すようにベース材２に取り付ける。
【００４８】
（補足）
本実施形態の外壁構造及びジョイナー１は、適宜設計変更可能である。例えば、本実施形態のジョイナー１は、左右方向に隣り合う外壁材７０，７１間に形成された目地（縦目地）６１に設けられているが、上下方向に隣り合う外壁材間に形成された目地（横目地）に設けられてもよい。
【００４９】
また、本実施形態の固定部２０は、一対の被差込板部２１，２２の間に対応する部分に挿通された固着具９２により、壁下地６に固定されているが、固定部２０の幅方向の両側部分２５，２６に挿通された固着具９２によって壁下地６に固定されてもよい。
【００５０】
また、ベースを壁下地６に固定するための固着具９２は、釘に限られず、例えばビスであってもよい。
【００５１】
また、各外壁材７０，７１は金属サイディングに限られず、例えば窯業系パネルであってもよい。
【００５２】
（効果）
以上説明した本実施形態の外壁構造は、隣り合う外壁材７０，７１の間の目地６１にジョイナー１が設けられた外壁構造であって、以下に示す特徴を有している。ジョイナー１は、壁下地６に固定されたベース材２と、ベース材２に屋外側から取り付けられて、隣り合う外壁材７０，７１の目地６１側の端を屋外側からカバーするカバー材５とを備えている。ベース材２は、目地６１において目地６１の幅方向に離間して配置されて各々外壁材７０，７１の目地６１側の端面７２，７３と対向すると共に、両者間にカバー材５が差し込まれて固定される一対の被差込板部２１，２２と、被差込板部２１，２２と外壁材７０，７１の端面７２，７３との間に配設された止水部材４０，４１と、を有する。以下、この特徴を有する外壁構造を第１の態様の外壁構造という。
【００５３】
第１の態様の外壁構造では、各外壁材７０，７１とベース材２の対応する被差込板部２１，２２との間が止水部材４０，４１によってシールされる。このため、隣り合う外壁材７０，７１の間から屋内側に雨水が浸入することを防止できる。また、この場合、カバー片５０と外壁材７０，７１の表面との間を十分にシールする必要がないため、カバー片５０の幅を小さくしてカバー片５０の外観も向上できる。
【００５４】
また、本実施形態の外壁構造は、第１の態様の外壁構造の特徴に加えて、以下に示す付加的な特徴を有している。止水部材４０，４１は、圧縮性部材で構成される。以下、この特徴を有する外壁構造を第２の態様の外壁構造という。
【００５５】
第２の態様の外壁構造では、外壁材７０，７１およびジョイナー１の寸法ばらつき、施工ばらつきがあっても、止水部材４０，４１が圧縮性を有するため、施工時に止水部材４０，４１を圧縮させながら外壁材７０，７１を取り付けることにより、外壁材７０，７１と被差込板部２１，２２との間に止水部材４０，４１を隙間無く配設することが可能となり、防水性を高めることが可能となる。
【００５６】
また、本実施形態の外壁構造は、第１又は第２の態様の外壁構造の特徴に加えて、以下に示す付加的な特徴を有している。カバー材５は、ベース材２に差し込まれる差込片５１と、差込片５１の屋外側端部から前記幅方向に延びるカバー片５０と、を有する。差込片５１は、被差込板部２１，２２の幅方向内側の端面７２，７３に圧接する止水片５３を有する一方、カバー片５０の幅方向両端部は、外壁材７０，７１の屋外側面に略線接触している。以下、この特徴を有する外壁構造を第３の態様の外壁構造という。
【００５７】
第３の態様の外壁構造では、差込片５１と被差込板部２１，２２との間に止水片５３が設けられることにより、被差込板部２１，２２間への浸水を防止することが可能となり、さらに、カバー片５０が外壁材７０，７１に線接触しているため、ジョイナー１内部に毛細管現象によって浸水するのを防止することが可能となる。
【００５８】
また、本実施形態の外壁構造は、第１乃至第３の態様の外壁構造の特徴に加えて、以下に示す付加的な特徴を有している。一対の被差込板部２１，２２の間隔が、屋外側に行く程徐々に狭くなっている。以下、この特徴を有する外壁構造を第４の態様の外壁構造という。
【００５９】
第４の態様の外壁構造では、差込片５１が一対の被差込板部２１，２２の対向面２９，３０に当たることにより、差込片５１が一対の被差込板部２１，２２の間から屋外側に抜け難くなる。このため、カバー材５はベース材２から外れ難い。
【００６０】
また、本実施形態のジョイナー１は、隣り合う外壁材７０，７１の間の目地６１に設けられるジョイナー１であって、以下に示す特徴を有している。ジョイナー１は、壁下地６に固定されるベース材２と、ベース材２に屋外側から取り付けられて、隣り合う外壁材７０，７１の目地６１側の端を屋外側からカバーするカバー材５とを備える。ベース材２は、目地６１において目地６１の幅方向に離間して配置されて各々外壁材７０，７１の目地６１側の端面７２，７３と対向すると共に、両者間にカバー材５が差し込まれて固定される一対の被差込板部２１，２２と、被差込板部２１，２２と外壁材７０，７１の端面７２，７３との間に配設される止水部材４０，４１とを有する。以下、この特徴を有するジョイナーを、第１の態様のジョイナー１という。
【００６１】
第１の態様のジョイナー１を利用することで、以下のように外壁材７０，７１を施工できる。まず、作業者は、ベース材２を壁下地６に固定する。この後、隣り合う外壁材７０，７１をジョイナー１を挟むように壁下地６に固定して、各止水部材４０，４１を、対応する外壁材７０，７１と被差込板部２１，２２との間に配置する。そして、差込片５１を一対の被差込板部２１，２２の間に差し込んで固定して、カバー材５をベース材２に取り付ける。このように外壁材７０，７１を施工することで、各外壁材７０，７１とベース材２の対応する被差込板部２１，２２との間が止水部材４０，４１によってシールされる。また、この場合、カバー材５と外壁材７０，７１の表面との間をシールする必要がないため、カバー材５の幅を小さくしてカバー片５０の外観も向上できる。
【符号の説明】
【００６２】
Ｌ  一対の被差込板部の間隔
１  ジョイナー
２  ベース材
２１  被差込板部
２２  被差込板部
４０  止水部材
４１  止水部材
５  カバー材
５０  カバー片
５１  差込片
６１  目地
７０  外壁材
７１  外壁材
７２  端面
７３  端面
【図１】
2018090974.tif 000003
【図２】
2018090974.tif 000004
【図３】
2018090974.tif 000005
【図４】
2018090974.tif 000006